(57)【要約】【課題】  デッキプレートを接合プレート上に載置して、接合プレートの周辺に沿って溶断しても、接合プレートの上面に突出して配置された各ボルトやナットが、デッキプレートの溶断に伴う熱により劣化して接合強度が弱くなるのを防止できる鉄骨梁の接合構造を提供する。【解決手段】  隣接する鉄骨梁１０４の端部の各フランジ１０４ａ上に接合プレート１０５を載置してボルト１０６により各フランジ１０４ａを接合プレート１０５に連結し、さらに接合プレート１０５のボルト１０６上を覆うようにカバー１０９を取付け、カバー１０９上に長溝状のデッキプレート１０８を長溝の開口面１０８ａが各フランジ１０４ａ側となるように載置してカバー１０９の周辺に沿って溶断してカバー１０９に合致した部分を除去し、カバー１０９の側面がデッキプレート１０８の端部の開口１０８ｂを塞ぐようにデッキプレート１０８を鉄骨梁と交差方向に取付け、この状態でデッキプレート１０８の上から水平部のコンクリートを打設するようにした。【選択図】  図１
2005325584.tif 000002
【特許請求の範囲】
【請求項１】
鉄骨梁を端部が一致するように連続配置して、隣接する鉄骨梁の端部の各フランジ上に接合プレートを載置してボルトにより前記各フランジを前記接合プレートに連結し、さらに前記接合プレートのボルト上を覆うようにカバーを接合プレート上に載置して、接合プレートの上面に突出して配置された各ボルトをカバーの開口端部が覆って被さるうように配置し、カバーの開口端部の全辺を鉄骨梁に溶接して取付け、前記カバー上に長溝状のデッキプレートを長溝の開口面が前記各フランジ側となるように載置して、前記デッキプレートを前記カバーの周辺に沿って溶断して前記カバーに合致した部分を除去し、前記カバーの側面が前記デッキプレートの端部の開口を塞ぐように前記デッキプレートを鉄骨梁と交差方向に取付け、この状態で前記デッキプレートの上から水平部のコンクリートを打設してなることを特徴とする鉄骨梁の接合構造。
【発明の詳細な説明】
【技術分野】
【０００１】
本発明は、鉄骨梁の接合構造に関するものである。
【背景技術】
【０００２】
鉄骨梁の接合構造としては、周辺壁１と周辺柱２と内部ポスト柱３を鉄筋コンクリート造とし、内部の梁４、５を鉄骨造とした建造物において、柱２、３と梁４、５の接合は、大梁４の下に充分コンクリートを充填し得る間隔をあけ、柱鉛直部のコンクリートを打設し、該柱部コンクリート上に大梁４を配置し該大梁４の下部フランジに螺合したレベル調整ボルト１０で大梁４のレベルを調整し、該大梁４に取着したブラケット６に小梁５をボルト接合し、前記柱鉛直部の主筋に遊合する閉鎖状フープ筋８を、梁に固着したフープ筋固定部材９に落とし込み、梁４と梁５を固定せしめ、デッキプレートを敷込みスラブ筋を配筋し、水平部のコンクリートを打設してなることを特徴とする鉄筋コンクリート柱と鉄骨梁の接合部構造が公知である。（特許文献１参照）
【０００３】
ところで鉄骨梁上にデッキプレートを敷込む場合、現場では長さの短い鉄骨梁に別の鉄骨梁を継ぎ足す作業を要する場合がある。例えば、図５〜図７に示すように、鉄骨梁１０４に別の鉄骨梁１０４を継ぎ足す。この現場での作業では、鉄骨梁１０４、１０４の各フランジ１０４ａ、１０４ａを複数のボルト１０６、１０６、…とナット１０７、１０７、…により１枚の接合プレート１０５の前後の部分にそれぞれ結合して両フランジ１０４ａ、１０４ａを連結する。そして、デッキプレート１０８を接合プレート１０５上に載置して、デッキプレート１０８を接合プレート１０５の周辺に沿って溶断し、接合プレート１０５と重なった部分１０８ａを除去して、デッキプレート１０８が接合プレート１０５と重ならないように配置して、各フランジ１０４ａ、１０４ａにデッキプレート１０８を溶接している。
【特許文献１】特開平７−１８７３５号公報
【発明の開示】
【発明が解決しようとする課題】
【０００４】
しかしながら、デッキプレート１０８を接合プレート１０５上に載置して、デッキプレート１０８を接合プレート１０５の周辺に沿って溶断する現場での作業は、図７に示すようにデッキプレート１０８が傾斜した不安定な状態で行われ、接合プレート１０５の上面に突出して配置された各ボルト１０６、１０６、…やナット１０７、１０７、…が、デッキプレート１０８の溶断に伴う熱により変性し、劣化して接合強度が弱くなるため、鉄骨梁の接合構造の改善が望まれていた。
【０００５】
解決しようとする課題は、現場での作業においてデッキプレートを接合プレート上に載置して、接合プレートの周辺に沿って溶断しても、接合プレートの上面に突出して配置された各ボルトやナットが、デッキプレートの溶断に伴う熱により劣化して接合強度が弱くなるのを防止できる鉄骨梁の接合構造を提供することを目的とする。
【課題を解決するための手段】
【０００６】
上記課題を解決するために請求項１に記載の発明は、鉄骨梁を端部が一致するように連続配置して、隣接する鉄骨梁の端部の各フランジ上に接合プレートを載置してボルトにより前記各フランジを前記接合プレートに連結し、さらに前記接合プレートのボルト上を覆うようにカバーを接合プレート上に載置して、接合プレートの上面に突出して配置された各ボルトをカバーの開口端部が覆って被さるうように配置し、カバーの開口端部の全辺を鉄骨梁に溶接して取付け、前記カバー上に長溝状のデッキプレートを長溝の開口面が前記各フランジ側となるように載置して、前記デッキプレートを前記カバーの周辺に沿って溶断して前記カバーに合致した部分を除去し、前記カバーの側面が前記デッキプレートの端部の開口を塞ぐように前記デッキプレートを鉄骨梁と交差方向に取付け、この状態で前記デッキプレートの上から水平部のコンクリートを打設してなることを特徴とする鉄骨梁の接合構造である。
【発明の効果】
【０００７】
本発明によれば、現場での作業においてデッキプレートを接合プレート上に載置して、接合プレートの周辺に沿って溶断しても、接合プレートの上面に突出して配置された各ボルトやナットが、デッキプレートの溶断に伴う熱により劣化して接合強度が弱くなるのを防止できるものである。
【発明を実施するための最良の形態】
【０００８】
以下、図面に基づいて本発明の実施例を説明する。
【実施例１】
【０００９】
図１は本発明に係る実施例１の鉄骨梁の接合構造の全体構成を示す平面図、図２は図１のＡ−Ａ線での断面図、図３は図１のＢ−Ｂ線での断面図、図４は同実施例１の斜視図である。
【００１０】
図１〜図４において、Ｈ形鋼又はＩ形鋼からなる長さの短い鉄骨梁１０４に別の鉄骨梁１０４を端部が一致するように連続配置して継ぎ足す作業が現場で行われる。そして、隣接する鉄骨梁１０４、１０４のそれぞれの端部の各フランジ１０４ａ、１０４ａの各側部にデッキ受板１０４ｂ、１０４ｂを溶接して各フランジ１０４ａ、１０４ａを幅広にしておく。その後、各フランジ１０４ａ、１０４ａ及びデッキ受板１０４ｂ、１０４ｂ上に鉄骨梁１０４と略同幅の接合プレート１０５を載置して複数のボルト１０６、１０６、…とナット１０７、１０７、…により各フランジ１０４ａ、１０４ａを接合プレート１０５に結合して両フランジ１０４ａ、１０４ａを連結する。さらに、接合プレート１０５の上部に断面コ字状のカバー１０９を配置して、接合プレート１０５のボルト１０６、１０６、…とナット１０７、１０７、…上にカバー１０９の開口端部１０９ｂが覆って被さるうように配置し、カバー１０９の開口端部１０９ｂの全辺（図では四辺）を鉄骨梁１０４と両フランジ１０４ａ、１０４ａ（又は各フランジ１０４ａ、１０４ａの各側部に溶接したデッキ受板１０４ｂ、１０４ｂ）に溶接して取付ける。
【００１１】
その後、現場での作業において、長溝状のデッキプレート１０８を、長溝の開口面１０８ａが各フランジ１０４ａ、１０４ａ側となるようにカバー１０９上に載置して、カバー１０９の周辺に沿って溶断するが、この際、接合プレート１０５の上面に突出して配置された各ボルト１０６、１０６、…やナット１０７、１０７、…は、カバー１０９により保護されて、デッキプレート１０８の溶断に伴う熱が遮蔽されるから、熱により変性することはなく、熱劣化により接合強度が弱くなるのを防止できる。そして、カバー１０９と重なった部分１０８ｃを溶断により除去して、デッキプレート１０８を両フランジ１０４ａ、１０４ａ、及び、デッキ受板１０４ｂ、１０４ｂ上に載置して、デッキプレート１０８がカバー１０９と重ならないように隣接配置する。このとき、カバー１０９の側面１０９ａがデッキプレート１０８の端部の開口１０８ｂを塞ぐように配置し、この状態でデッキプレート１０８の端部の開口１０８ｂをカバー１０９の側面１０９ａに溶接し、また、デッキプレート１０８の周辺を、フランジ１０４ａ、１０４ａとデッキ受板１０４ｂ、１０４ｂに溶接する。その後、デッキプレート１０８の上から水平部のコンクリートを打設する。このようにして、Ｈ形鋼又はＩ形鋼からなる長さの短い鉄骨梁１０４に別の鉄骨梁１０４を継ぎ足す作業が終了する。
【００１２】
以上説明したように、本発明によれば、デッキプレートは接合プレートのカバー上に載置して、接合プレートのカバーの周辺に沿って溶断するので、接合プレートの上面に突出して配置された各ボルトやナットはカバーにより保護されてデッキプレートの溶断に伴う熱が遮蔽されるから、変性することはなく、熱劣化して接合強度が弱くなるのを防止できる等優れた効果を奏する。
【産業上の利用可能性】
【００１３】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００１４】
【図１】本発明に係る実施例１の鉄骨梁の接合構造の全体構成を示す平面図である。
【図２】図１のＡ−Ａ線での断面図である。
【図３】図１のＢ−Ｂ線での断面図である。
【図４】同実施例１の斜視図である。
【図５】従来の鉄骨梁の接合構造の全体構成を示す平面図である。
【図６】図５のＣ−Ｃ線での断面図である。
【図７】図５のＤ−Ｄ線での断面図である。
【符号の説明】
【００１５】
１０４  鉄骨梁
１０４ａ  フランジ
１０４ｂ  デッキ受板
１０５  接合プレート
１０６  ボルト
１０７  ナット
１０８  デッキプレート
１０８ａ  長溝の開口面
１０８ｂ  端部の開口
１０９  カバー
１０９ａ  側面
【図１】
2005325584.tif 000003
【図２】
2005325584.tif 000004
【図３】
2005325584.tif 000005
【図４】
2005325584.tif 000006
【図５】
2005325584.tif 000007
【図６】
2005325584.tif 000008
【図７】
2005325584.tif 000009